(57)【要約】【課題】表示面で操作内容を示す画像の表示が無い場合であっても、操作性を向上し、装置を容易に小型化する。【解決手段】タッチパネル部４１ａが検知して制御部４２が制御を実施する接触面の位置をユーザーに案内するためのガイド表示を、画像表示部２１の表示面での画像の表示が無い場合に、ガイド部５１ａが行う。【選択図】図３
2006048126.tif 000002
【特許請求の範囲】
【請求項１】
画像を表示する表示装置であって、
前記画像を表示面で表示する表示部と、
ユーザーの接触操作が行われる接触面が前記表示部の前記表示面で表示された画像を透過表示し、前記接触面に接触操作された位置を検知する検知部と、
前記検知部が検知した位置に基づいて、当該表示装置の動作を制御する制御部と
を備え、
前記表示面での画像の表示が無い場合に、前記検知部が検知して前記制御部が制御を実施する前記接触面の位置をユーザーに案内するためのガイド表示を行うガイド部
を有する
表示装置。
【請求項２】
前記ガイド部は、発光することにより前記ガイド表示を行う
請求項１に記載の表示装置。
【請求項３】
前記ガイド部は、前記表示部の前記表示面の周囲で前記ガイド表示を行うように形成されている
請求項１に記載の表示装置。
【請求項４】
前記ガイド部は、前記検知部が検知し前記制御部が制御する動作に対応するような形状で前記ガイド表示を行う
請求項１に記載の表示装置。
【請求項５】
前記画像を記憶する記憶部と、
前記表示部での画像の表示を実施させずに前記記憶部が記憶する前記画像を外部機器に出力する外部出力部と
を有し、
前記ガイド部は、前記外部出力部からの画像の出力状態に基づいて、前記ガイド表示を行う
請求項１に記載の表示装置。
【請求項６】
ユーザーによる操作に基づいて、前記表示部での前記画像の表示の実施有無を操作する表示操作部
を有し、
前記ガイド部は、前記表示操作部が前記表示部での前記画像の表示を実施させない操作に基づいて、前記ガイド表示を行う
請求項１に記載の表示装置。
【発明の詳細な説明】
【技術分野】
【０００１】
本発明は、表示装置に関し、特に、画像を透過表示しユーザーの接触操作が行われる接触面を備える表示装置に関する。
【背景技術】
【０００２】
デジタルスチルカメラ、デジタルビデオカメラなどの撮像装置や、ＰＤＡ（ｐｅｒｓｏｎａｌ  ｄｉｇｉｔａｌ  ａｓｓｉｓｔａｎｃｅ）などの携帯端末などにおいては、小型化や多機能化に対応するために、液晶パネルなどの表示パネルの表示面にタッチパネルを設置した表示装置が用いられている。
【０００３】
タッチパネルを有する表示装置においては、表示パネルの表示面に操作内容を示す画像を表示し、その操作内容を示す画像がユーザーの接触操作が行われるタッチパネルの接触面を透過して表示される。そして、ユーザーは、その操作内容を示す画像を見ながら、タッチパネルの接触面を指やペンで接触して操作を行う。たとえば、撮像装置においては、ズーム撮影の設定、撮像画像の再生、動画再生時の音量調整などの操作が実施される。そして、ユーザーによる接触操作の位置をタッチパネルが検出後、タッチパネルにより検知された位置情報に基づいて、制御部が装置の動作を制御する。
【０００４】
タッチパネルを有する表示装置は、表示パネルでの操作画像の表示と、タッチパネルで接触操作する位置とを同期させることが可能であるため、複数の操作を容易にして操作性を向上でき、機械的な操作ボタンなどを減少して装置を小型化することができる。このため、タッチパネルを有する表示装置は、デジタルスチルカメラ、デジタルビデオカメラなどの撮像装置や、ＰＤＡなどの携帯端末などにおいて、多く用いられてきている。このように、タッチパネルを有する表示装置は、操作内容を示す操作画像を表示して、ユーザーにより操作が実施される（たとえば、特許文献１参照）。
【特許文献１】特開２００２−２６２１６９号公報
【発明の開示】
【発明が解決しようとする課題】
【０００５】
しかしながら、タッチパネル付きの表示装置において、操作内容を示す操作画像が表示パネルに表示されない状態で操作を実施することが必要な場合がある。
【０００６】
たとえば、装置を小型化するために、撮像装置本体に設置された小型の表示パネルと、大型の画面を備える外部機器とのそれぞれに映像信号を出力する映像出力ユニットを、両者に共通するように１つのみ設けた場合においては、撮像画像を外部装置に出力して再生表示を実施する際、本体に設けられた表示装置の表示面に画像が表示されないことになる。また、その他に、表示パネルに画像を表示させる場合には消費電力量が大きくなるため、表示パネルに画像を表示させずに操作を実施する場合がある。このような場合においては、表示パネルに操作画像が表示されないために、タッチパネルで接触操作する位置を判断することが困難になって、誤操作が発生し易くなり、操作性が低下する。また、表示パネルに画像が表示されない時の操作性を向上させるために、機械的な操作ボタンなどを多数設置する必要が発生する。
【０００７】
このため、従来においては、操作画像が表示パネルで表示されずに操作性が低下し、装置を小型化することが困難であった。
【０００８】
したがって、本発明は、操作性を向上することができ、小型化することが容易に可能な表示装置を提供することにある。
【課題を解決するための手段】
【０００９】
上記目的を達成するために、本発明の表示装置は、画像を表示する表示装置であって、前記画像を表示面で表示する表示部と、ユーザーの接触操作が行われる接触面が前記表示部の前記表示面で表示された画像を透過表示し、前記接触面に接触操作された位置を検知する検知部と、前記検知部が検知した位置に基づいて、当該表示装置の動作を制御する制御部とを備え、前記表示面での前記画像の表示が無い場合に、前記検知部が検知して前記制御部が制御を実施する前記接触面の位置をユーザーに案内するためのガイド表示を行うガイド部を有する。
【００１０】
上記の本発明の表示装置によれば、検知部が検知して制御部が制御を実施する接触面の位置をユーザーに案内するためのガイド表示を、表示部の表示面での画像の表示が無い場合に、ガイド部が行う。
【発明の効果】
【００１１】
本発明によれば、操作性を向上することができ、装置を小型化することが容易に可能な表示装置を提供することができる。
【発明を実施するための最良の形態】
【００１２】
本発明にかかる実施形態の一例について説明する。
【００１３】
＜実施形態１＞
以下より、本発明にかかる実施形態１について説明する。
【００１４】
図１，図２，図３は、本実施形態の構成を示す図である。このうち、図１は、本実施形態の表示装置２を含む撮像装置１０１のブロック図であり、デジタルスチルカメラの場合について示している。また、図２は、本実施形態において、表示装置２の液晶パネル２１ａとバックライト部２１ｂとタッチパネル部４１ａとの配置を示す斜視図である。また、図３は、本実施形態において、画像が表示される表示面側の構成を示す平面図である。
【００１５】
図１に示すように、撮像装置１０１は、画像生成装置１と表示装置２とを含む。画像生成装置１は、光学系１１と、撮像部１２と、画像処理部１３とを有し、表示装置２は、画像表示部２１と、記憶部２２と、外部出力部２３と、操作入力部４１と、制御部４２と、ガイド部５１ａとを有する。各部について、順次、説明する。
【００１６】
光学系１１は、光学レンズを含み、被写体の光学像を集光して撮像部１２の撮像面に結像する。なお、光学系１１は、図３にて示した表示面側に対して反対側になる筐体３の面に設けられている。
【００１７】
撮像部１２は、たとえば、複数の光電変換素子が撮像面にマトリクス状に配置されたＣＣＤ（Ｃｈａｒｇｅ  Ｃｏｕｐｌｅｄ  Ｄｅｖｉｃｅ）センサを含み、光学系１１によって撮像面に結像された被検体の光学像を電気信号に変換する。
【００１８】
画像処理部１３は、撮像部１２から出力される電気信号を画像処理し、被写体の光学像についての画像データを生成する。
【００１９】
画像表示部２１は、図１に示すように、液晶パネル部２１ａとバックライト部２１ｂとを有し、表示面で画像を表示する。具体的には、画像表示部２１は、画像処理部１３が生成する画像データに基づいて被写体の画像を表示すると共に、ユーザーが操作する操作内容を示す画像を表示する。また、画像表示部２１は、図３に示すように、筐体３の表示面側に設けられている。
【００２０】
画像表示部２１において液晶パネル部２１ａは、図２に示すように、後述するタッチパネル部４１ａが表示面側に配置され、表示面側に対して反対側の面にバックライト部２１ｂが配置されている。液晶パネル部２１ａは、たとえば、アクティブマトリクス型であり、ＴＦＴ（Ｔｈｉｎ  Ｆｉｌｍ  Ｔｒａｎｓｉｓｔｏｒ）などの能動素子が画素に対応してマトリクス状に形成されたアレイ基板（図示なし）と、そのアレイ基板に対向するように配置された対向基板（図示なし）と、アレイ基板と対向基板との間に配置された液晶層（図示なし）とを有する。また、液晶パネル部２１ａは、透過表示型であり、表示面の反対面側から表示面側に光が透過されることにより画像を表示する。具体的には、液晶パネル部２１ａは、ＴＦＴなどの能動素子をスイッチング制御して液晶層の光学特性を画素ごとに変化させることにより、バックライト部２１ｂからの光の透過を変えて、表示面で画像の表示を行う。
【００２１】
また、画像表示部２１においてバックライト部２１ｂは、たとえば、平面光源により構成されており、図２に示すように、液晶パネル部２１ａの表示面の反対面側に設けられ、液晶パネル部２１ａに光を照射する。
【００２２】
記憶部２２は、たとえば、メモリにより構成されており、画像処理部１３により生成された被写体の画像データや、各種データを記憶する。
【００２３】
外部出力部２３は、たとえば、映像出力ユニットを含み、大型の画面を備えるモニターなどの外部機器に、記憶部２２が記憶する被写体の画像を出力する。なお、ここで、外部出力部２３が記憶部２２から被写体の画像を外部機器に出力する際には、画像表示部２１での画像の表示が実施されないように制限される。
【００２４】
操作入力部４１は、図１に示すように、タッチパネル部４１ａとボタン入力部４１ｂとを有し、ユーザーによる操作が入力される。
【００２５】
操作入力部４１におけるタッチパネル部４１ａは、たとえば、アナログ抵抗膜方式であり、図２に示すように、液晶パネル２１ａの表示面側に配置されている。タッチパネル部４１ａは、ユーザーの接触操作が行われる接触面が画像表示部２１の表示面で表示された画像を透過表示し、その接触面に接触操作された位置を検知する。たとえば、図３にて点線で囲うようにして示すように、接触操作が行われる領域Ｒ１１，Ｒ１２，Ｒ２１，Ｒ２２を接触面に４つ備える。具体的には、タッチパネル部４１ａは、外部出力部２３が記憶部２２から複数の静止画像を外部機器に出力して順次再生表示する際に、接触面の横方向に並ぶ２つの領域Ｒ１１，Ｒ１２における右側の領域Ｒ１１をユーザーが接触した場合には、タッチパネル部４１ａは、現時点で表示している静止画像から、次のファイルの静止画像を外部機器が表示するように操作が設定される。そして、左側の領域Ｒ１２をユーザーが接触した場合には、前のファイルの静止画像を表示するように操作が設定される。また、その他に、タッチパネル部４１ａは、接触面の縦方向に並ぶ２つの領域Ｒ２１，Ｒ２２のうち、上側の領域Ｒ２１をユーザーが接触した場合には、外部出力部２３が記憶部２２から動画像を音声と共に外部機器に出力して再生表示する際に、音量が大きくなるように操作が設定される。そして、下側の領域Ｒ２２をユーザーが接触した場合には、音量が小さくなるように操作が設定される。
【００２６】
操作入力部４１におけるボタン入力部４１ｂは、機械的なボタンにより構成されており、ユーザーがボタンを押す操作を行うことにより、たとえば、画像表示部２１での画像の表示の実施有無を操作できるように設定されている。
【００２７】
制御部４２は、たとえば、コンピュータにより構成されており、操作入力部４１に入力されたオペレータの指令に基づいて、各部の動作を制御する。具体的には、タッチパネル部４１ａが検知したユーザーの接触位置と、ボタン入力部４２ａに入力されたユーザーの指令とに基づいて、各部を制御する。たとえば、制御部４２は、画像生成部１の光学系１１と撮像部１２と画像処理部１３とのそれぞれに接続されており、操作入力部４１に入力されたオペレータの指令に基づいて、静止画像や動画像、ズーム画像などの撮像モードを変え、それに対応する画像を生成させる。また、制御部４２は、表示装置２の画像表示部２１と記憶部２２と外部出力部２３とガイド部５１ａとのそれぞれに接続されており、操作入力部４１に入力されたオペレータの指令に基づいて、被写体の画像とユーザーの操作内容を示す操作画像との表示、ガイド部５１ａによるガイド表示、外部機器への画像データの出力などを制御する。
【００２８】
ガイド部５１ａは、画像表示部２１の表示面での画像の表示が無い場合に、タッチパネル部４１ａが検知して制御部４２が制御を実施する接触面の位置を、ユーザーに案内するためのガイド表示を行う。たとえば、ガイド部５１ａは、図３に示すように、画像表示部２１の表示面の周囲であって、接触操作が行われる領域Ｒ１１，Ｒ１２，Ｒ２１，Ｒ２２に対応するように位置でガイド表示を実施するように、筐体３に形成される。ガイド部５１ａは、円形状で発光する発光体のＬＥＤ（Ｌｉｇｈｔ  Ｅｍｉｔｔｉｎｇ  Ｄｉｏｄｅ）を用いて形成される。ガイド部５１ａは、表示面に操作内容を示す画像が表示されない際に、そのＬＥＤを発光することにより、ユーザーへのガイド表示を行う。具体的には、画像表示部２１での画像の表示を実施させずに記憶部２２が記憶する画像を外部機器に外部出力部２３が出力する際に、ガイド部５１ａは、外部出力部２３からの画像の出力が無いことを判定し、ＬＥＤを発光させてガイド表示を行う。また、その他に、画像表示部２１での画像の表示を実施させないようにユーザーがボタン入力部４１ｂを操作した際には、ガイド部５１ａは、ボタン入力部４１ｂへの操作によって画像表示部２１での画像の表示が実施されないことを判定し、ＬＥＤを発光させてガイド表示を行う。
【００２９】
なお、上記の実施形態において、表示装置２は、本発明の表示装置に相当する。また、上記の実施形態の画像表示部２１は、本発明の表示部に相当する。また、上記の実施形態の液晶パネル部２１ａは、本発明の表示パネルに相当する。また、上記の実施形態のバックライト部２１ｂは、本発明の照射部に相当する。また、上記の実施形態の記憶部２２は、本発明の記憶部には相当する。また、上記の実施形態の外部出力部２３は、本発明の外部出力部に相当する。また、上記の実施形態の制御部４２は、本発明の制御部に相当する。また、上記の実施形態のタッチパネル部４１ａは、本発明の検知部に相当する。また、上記の実施形態のボタン入力部４１ｂは、本発明の表示操作部に相当する。また、上記の実施形態のガイド部５１ａは、本発明のガイド部に相当する。
【００３０】
図４は、本実施形態において、ガイド部５１ａがガイド表示を行う手順を示すフロー図である。
【００３１】
図４に示すように、ユーザーからの指令に基づいて、記憶部２２が記憶する被写体の画像の外部機器への出力を外部出力部２３が開始する（Ｓ１１）。この時、画像表示部２１は、画像の表示が実施されないように制限される。
【００３２】
つぎに、タッチパネル部４１ａが検知して制御部４２が制御を実施する接触面の位置をユーザーに案内するためのガイド表示を行う（Ｓ２１）。ここでは、外部出力部２３からの画像の出力が無いことをガイド部５１ａが判定し、ユーザーにガイド表示を行う。具体的には、図３に示すように、ガイド部５１ａは、画像表示部２１の表示面の周囲に設けられた円形状のＬＥＤを発光することにより、ユーザーへのガイド表示を行う。
【００３３】
そして、ユーザーからの指令に基づいて、記憶部２２が記憶する被写体の画像の外部機器への出力を外部出力部２３が停止する（Ｓ３１）。この場合には、画像の表示が実施可能なように制限が解除される。
【００３４】
そして、ガイド表示の実施をガイド部５１ａが停止する（Ｓ４１）。ここでは、外部出力部２３からの画像の出力が可能なようになったことをガイド部５１ａが判定し、ユーザーにガイド表示を停止する。具体的には、画像表示部２１の表示面の周囲に設けられた円形状のＬＥＤをガイド部５１ａの発光を停止することにより、ユーザーへのガイド表示の停止を行う。
【００３５】
上記では、外部出力部２３による画像データの出力の場合について述べているが、その他に、画像表示部２１での画像の表示を実施させないようにユーザーがボタン入力部４１ｂを操作した際においても同様である。この場合においては、ガイド部５１ａは、ボタン入力部４１ｂへの操作によって画像表示部２１での画像の表示が実施されないことを判定し、ＬＥＤを発光させてガイド表示を行う。
【００３６】
以上のように、本実施形態によれば、タッチパネル部４１ａが検知して制御部４２が制御を実施する接触面の位置をユーザーに案内するためのガイド表示を、画像表示部２１の表示面での画像の表示が無い場合に、ガイド部５１ａが行う。ここでは、ガイド部５１ａは、画像表示部２１の表示面の周囲に設けられているＬＥＤを発光することにより、ガイド表示を行う。このため、画像表示部２１が操作画像を表示しない場合であっても、タッチパネル部４１ａで接触操作する位置を判断することが容易になって、誤操作を防止し、操作性を向上することができる。また、表示部２１に画像が表示されない時の操作性を向上させるために、機械的な操作ボタンなどを多数設置する必要がないため、装置を小型化することが容易になる。
【００３７】
＜実施形態２＞
以下より、本発明にかかる実施形態２について説明する。
【００３８】
図５は、本実施形態において、画像が表示される表示面側の構成を示す平面図である。本実施形態のガイド部５１ｂは、実施形態１でのガイド部５１ａと異なる形状でガイド表示するように形成されている。この点を除き、本実施形態は、実施形態１と同様である。このため、重複する個所については、同一符号を付し、説明を省略する。
【００３９】
図５に示すように、ガイド部５１ｂは、タッチパネル部４１ａが検知し制御部４２が制御する動作に対応するような形状で形成されている。ここでは、ガイド部５１ｂは、いずれも、矢印形状に発光するように、ＬＥＤが表示面の周囲に形成されている。
【００４０】
つまり、上述したように、タッチパネル部４１ａの接触面において横方向に並ぶ２つの領域Ｒ１１，Ｒ１２のうち、右側の領域Ｒ１１をユーザーが接触した場合には、次のファイルの静止画像を表示するように操作が設定されているため、この操作内容をユーザーに示唆するように右方向に向いた矢印形状のガイド部５１ｂが、その右側領域Ｒ１１の近傍に対応して形成されている。また、左側の領域Ｒ１２をユーザーが接触した場合には、前のファイルの静止画像を表示するように操作が設定されているため、この操作内容をユーザーに示唆するように左方向に向いた矢印形状のガイド部５１ｂが、その左側領域Ｒ１１の近傍に対応して形成されている。また、その他に、接触面の縦方向に並ぶ２つの領域Ｒ２１，Ｒ２２のうち、上側の領域Ｒ２１をユーザーが接触した場合には、上述したように、外部出力部２３が記憶部２２から動画像を音声と共に外部機器に出力して再生表示する際に、音量が大きくなるように操作が設定されているため、この操作内容をユーザーに示唆するように上方向に向いた矢印形状のガイド部５１ｂが、その上側領域Ｒ２１の近傍に対応して形成されている。また、下側の領域Ｒ２２をユーザーが接触した場合には、音量が小さくなるように操作が設定されているため、この操作内容をユーザーに示唆するように下方向に向いた矢印形状のガイド部５１ｂが、その下側領域Ｒ２２の近傍に対応して形成されている。
【００４１】
そして、本実施形態において、ガイド部５１ｂがガイド表示を行う際においては、実施形態１と同様に、外部出力部２３からの画像の出力がされていることをガイド部５１ｂが判定し、図５に示すように、画像表示部２１の表示面の周囲に設けられた矢印形状のＬＥＤを発光することにより、ユーザーへのガイド表示を行う。なお、上記の実施形態において、ガイド部５１ｂは、本発明のガイド部に相当する。
【００４２】
以上のように、本実施形態によれば、タッチパネル部４１ａが検知し制御部４２が制御する動作に対応するような形状を表示することによってガイド表示を行う。このため、画像表示部２１が操作画像を表示しない場合であっても、タッチパネル部４１ａで接触操作する位置が実施形態１よりも明確になり、ユーザーがその位置を判断することが容易になる。したがって、誤操作を防止して、さらに、操作性を向上することができる。
【００４３】
＜実施形態３＞
以下より、本発明にかかる実施形態３について説明する。
【００４４】
図６，図７は、本実施形態の構成を示す図である。
【００４５】
このうち、図６は、本実施形態において、画像が表示される表示面側の構成を示す平面図である。また、図７は、本実施形態において、液晶パネル２１ａとバックライト部２１ｂとタッチパネル部４１ａとの配置を示す斜視図である。図６と図７とに示すように、本実施形態のガイド部５１ｃは、実施形態２でのガイド部５１ｂと異なる位置でガイド表示するように形成されている。この点を除き、本実施形態は、実施形態２と同様である。このため、重複する個所については、同一符号を付し、説明を省略する。
【００４６】
図６に示すように、ガイド部５１ｃは、液晶パネル２１の表示面に対応する領域でガイド表示するように設けられている。また、図７に示すように、ガイド部５１ｃは、タッチパネル部４１ａが設けられた側と反対側の液晶パネル２１の面側であって、バックライト部２１ｂの光照射側でガイド表示を実施するように形成されている。ここでは、ガイド部５１ｃは、蓄光材料による発光によってガイド表示するように形成されている。なお、蓄光材料は、外部からの光を受けてエネルギを蓄え、その蓄えたエネルギが無くなるまで発光する材料である。
【００４７】
より具体的には、タッチパネル部４１ａの接触面において横方向に並ぶ２つの領域Ｒ１１，Ｒ１２のうち、右側の領域Ｒ１１をユーザーが接触した場合には、次のファイルの静止画像を表示するように操作が設定されているため、この操作内容をユーザーに示唆するように右方向に向いた矢印形状のガイド部５１ｃが、その右側領域Ｒ１１に対応して重複するように形成されている。また、左側の領域Ｒ１２をユーザーが接触した場合には、前のファイルの静止画像を表示するように操作が設定されているため、この操作内容をユーザーに示唆するように左方向に向いた矢印形状のガイド部５１ｃが、その左側領域Ｒ１２に対応して重複するように形成されている。また、その他に、接触面の縦方向に並ぶ２つの領域Ｒ２１，Ｒ２２のうち、上側の領域Ｒ２１をユーザーが接触した場合には、上述したように、外部出力部２３が記憶部２２から動画像を音声と共に外部機器に出力して再生表示する際に、音量が大きくなるように操作が設定されているため、この操作内容をユーザーに示唆するように上方向に向いた矢印形状のガイド部５１ｃが、その上側領域Ｒ２１の対応して重複するように形成されている。また、下側の領域Ｒ２２をユーザーが接触した場合には、音量が小さくなるように操作が設定されているため、この操作内容をユーザーに示唆するように下方向に向いた矢印形状のガイド部５１ｃが、その下側領域Ｒ２２に対応して重複するように形成されている。
【００４８】
そして、本実施形態において、ガイド部５１ｃがガイド表示を行う際においては、外部出力部２３からの画像の出力されて、バックライト部２１ｂによる光の照射が停止されて画像が表示されなくなる。この時、表示面に対応する領域に形成された蓄光材料が、バックライト部２１ｂからの照射光や、液晶パネル２１ａの表示面側からの外光により、蓄えた光を発光する。そして、蓄光材料の発光により実施されるガイド表示が、透過型の液晶パネル２１ａの表示面を透過して、表示面の内部でユーザーへのガイド表示が実施される。なお、上記の実施形態において、ガイド部５１ｃは、本発明のガイド部に相当する。
【００４９】
以上のように、本実施形態によれば、ガイド部５１ｃは、表示部２１においてタッチパネル部４１ａが設けられた側に対して反対となる側から、表示面に対応する領域でガイド表示を実施し、表示部２１での画像が非表示時に、そのガイド表示が表示部２１の表示面で透過表示される。このように、表示面に対応する領域でガイド表示を実施するため、実施形態１，２のように表示面の周囲にガイド表示のための部材を設ける必要がなくなり、装置の小型化を容易にできる。また、本実施形態においては、ガイド部５１ｃが蓄光材料の発光によってバックライト部２１ｂの光照射側でガイド表示を実施しているため、実施形態１，２のようにＬＥＤなどの電子機器が不要になり、装置構成が簡略化されて装置の小型化が容易にできる。
【００５０】
なお、本発明の実施に際しては、上記した実施の形態に限定されるものではなく、種々の変形形態を採用することができる。たとえば、本実施形態を組み合わせた形態について採用することができる。
【００５１】
また、たとえば、上記の実施形態においては、表示パネルとして液晶パネルを用いた場合について例示しているが、これに限定されず、ＣＲＴ（ｃａｔｈｏｄｅ  ｒａｙ  ｔｕｂｅ）、ＦＥＤ（ｆｉｅｌｄ  ｅｍｉｓｓｉｏｎ  ｄｉｓｐｌａｙ）、ＰＤＰ（ｐｌａｓｍａ  ｄｉｓｐｌａｙ  ｐａｎｅｌ）、ＥＬＤ（ｅｌｅｃｔｒｏ  ｌｕｍｉｎｅｓｃｅｎｃｅ  ｄｅｖｉｃｅ）などを表示パネルとして用いた場合についても適用できる。
【００５２】
また、たとえば、上記の実施形態においては、タッチパネルとしてアナログ抵抗膜方式を用いた場合について例示しているが、これに限定されず、マトリクス型抵抗膜方式、静電容量方式、赤外線方式、超音波方式などをタッチパネルとして用いた場合についても適用できる。
【００５３】
また、たとえば、上記の実施形態においては、撮像装置であるデジタルスチルカメラに装備した表示装置について示しているが、これに限定されず、デジタルビデオカメラなどの他の撮像装置や、ＰＤＡなどの携帯端末などのさまざまな機器に適用できる。
【図面の簡単な説明】
【００５４】
【図１】図１は、本発明の実施形態１における表示装置を含む撮像装置の構成を示すブロック図である。
【図２】図２は、本発明の実施形態１において、表示装置の液晶パネルとバックライト部とタッチパネル部との配置を示す斜視図である。
【図３】図３は、本発明の実施形態１において、画像が表示される表示面側の構成を示す平面図である。
【図４】図４は、本発明の実施形態１において、ガイド部がガイド表示を行う手順を示すフロー図である。
【図５】図５は、本発明の実施形態２において、画像が表示される表示面側の構成を示す平面図である。
【図６】図６は、本発明の実施形態３において、画像が表示される表示面側の構成を示す平面図である。
【図７】図７は、本発明の実施形態３において、液晶パネルとバックライト部とタッチパネル部との配置を示す斜視図である。
【符号の説明】
【００５５】
１：画像生成装置、
２：表示装置、
３：筐体、
１１：光学系、
１２：撮像部、
１３：画像処理部、
２１：画像表示部、
２１ａ：液晶パネル部、
２１ｂ：バックライト部、
２２：記憶部、
２３：外部出力部、
４１：操作入力部、
４２：制御部、
４１ａ：タッチパネル部、
４１ｂ：ボタン入力部、
５１ａ，５１ｂ，５１ｃ：ガイド部、
１０１：撮像装置
【図１】
2006048126.tif 000003
【図２】
2006048126.tif 000004
【図３】
2006048126.tif 000005
【図４】
2006048126.tif 000006
【図５】
2006048126.tif 000007
【図６】
2006048126.tif 000008
【図７】
2006048126.tif 000009